(57)【要約】      （修正有）【課題】歩行時の滑りを抑制することができる水難救助用フィンを提供する。【解決手段】水難救助用フィン１００は、本体部１０の底面に配設される弾性部材からなる第１の突起部２と、第１の突起部２に隣接して配設される剛性部材からなり、第１の突起部２と比較して突起の高さが低く、第１の突起部２の圧縮変形により、地面に接触することになる第２の突起部３と、を備える。【選択図】図１
0003186874.tif 000002
【実用新案登録請求の範囲】
【請求項１】
足を挿入するフットポケットを有する本体部と、当該本体部の爪先側に配設され、水をかくブレードと、前記本体部の踵側に配設され、前記フットポケットからの足の抜けを防止するフィンベルトと、を備える水難救助用フィンにおいて、
前記本体部の底面に配設される弾性部材からなる第１の突起部と、
前記第１の突起部に隣接して配設される剛性部材からなり、前記第１の突起部と比較して突起の高さが低く、前記第１の突起部の圧縮変形により、地面に接触することになる第２の突起部と、
を備えることを特徴とする水難救助用フィン。
【請求項２】
前記請求項１に記載の水難救助用フィンにおいて、
前記第２の突起部が、鋸歯状の接地面を有することを特徴とする水難救助用フィン。
【請求項３】
前記請求項１又は２に記載の水難救助用フィンにおいて、
前記フットポケットを構成する内側面が、前記本体部の材料と比較して剛性の高い材料から形成されることを特徴とする水難救助用フィン。
【請求項４】
前記請求項１乃至３のいずれかに記載の水難救助用フィンにおいて、
前記本体部が、両側面に凹部を備え、
前記フィンベルトが、前記本体部の凹部に係合される凸部を両端の内側面に備えることを特徴とする水難救助用フィン。
【請求項５】
前記請求項４に記載の水難救助用フィンにおいて、
前記フィンベルトの凸部が、前記フィンベルトの内側面に立設される軸部と、当該軸部の先端に配設され、前記軸部の平面形状より幅広い係止部と、を備え、
前記本体部の凹部が、前記フィンベルトの係止部の平面形状より大きい孔形状の挿入孔と、当該挿入孔に連通され、前記フィンベルトの係止部の平面形状より小さく前記軸部の平面形状より大きい孔形状の係止孔と、前記挿入孔及び係止孔の下層に当該挿入孔及び係止孔に連通され、前記フィンベルトの係止部の平面形状より大きい穴形状の連結穴と、を備えることを特徴とする水難救助用フィン。
【考案の詳細な説明】
【技術分野】
【０００１】
本考案は、水難救助者（レスキュアー）の足に着用される水難救助用のフィン（足ひれ）に関する。
【背景技術】
【０００２】
水難救助では、流れの速い水場、狭い岩場、滑り易い岩場、苔の生えたスロープ（傾斜面）、河原や海岸沿いの浅瀬、瓦礫がある場所等の危険な場所での救助作業が多く、救助者側にも危険が及ぶ場合がある。このため、水難救助用フィンは、より安全に救助作業ができることが求められ、例えば、水際での歩行や、テトラポッド（登録商標）の隙間などの狭い場所での救助作業を容易にするブレード（水かき）の短いものが市販されている。
【０００３】
しかし、市販の水難救助用フィンでは、岩場、スロープ、河原や海岸沿いの浅瀬等の滑り易い場所で、フィンを履いた状態で救助作業を行なう場合に、救助者が転倒して、要救助者や救助者自身が負傷する虞がある。このため、救助者は、滑り易い場所では、水難救助用フィンを脱いだり、靴に履き替えたりして、救助作業を行なわなければならず、救助作業が煩雑になっていた。
【０００４】
これに対し、従来の水泳用足ひれは、底の全体に多数の突起物を設けることで、岩場や珊瑚礁での歩行時に、突起物が衝撃を吸収し、足に痛みを感じることなく安全に歩行することができ、さらに、突起物が滑り止め効果を発揮するため、楽に歩行することができる（例えば、特許文献１参照）。
【０００５】
また、従来のサンダル兼用遊泳推進具は、足嵌部上部の被部には網目状の構造を有する伸縮可能な装着調整部を設けると共に、足嵌部の後端にはストラップ部を突設し、該ストラップ部を複数箇所で係脱自在にして成る（例えば、特許文献２参照）。
【０００６】
また、一般的なフィンには、着用者の踵部分を押さえてフィンの脱落を防止するゴム性のベルト（フィンベルト）が着脱自在に取り付けられており、フィンベルトの劣化に応じてフィンベルトを取り替えることになる。
【先行技術文献】
【特許文献】
【０００７】
【特許文献１】実開昭６３−９２６５８号公報
【特許文献２】実開平０１−１５５４６４号公報
【考案の概要】
【考案が解決しようとする課題】
【０００８】
しかしながら、従来の水泳用足ひれやフィンは、全体がゴム等の弾性を有する材料からなるため、先の尖った瓦礫等の鋭利な危険物を着用者が踏んでしまうと、危険物がフィンの底を突き破り、着用者の足に怪我をさせる虞がある。
【０００９】
また、従来のサンダル兼用遊泳推進具やフィンは、フィンベルトを取り付けるための金具等の部品が外側に突出しているため、この取付部品が漁綱や釣り糸又は瓦礫等の障害物に引っ掛かり、着用者を水中で拘束して、着用者の進行を妨げる虞がある。
【００１０】
この考案は、上述のような課題を解決するためになされたもので、歩行時の滑りを抑制することができ、鋭利な危険物がフィンの底を突き破ることを防止すると共に、障害物による着用者の拘束を回避することができる水難救助用フィンを提供することを目的とする。
【課題を解決するための手段】
【００１１】
この考案に係る水難救助用フィンにおいては、本体部の底面に配設される弾性部材からなる第１の突起部と、第１の突起部に隣接して配設される剛性部材からなり、第１の突起部と比較して突起の高さが低く、第１の突起部の圧縮変形により、地面に接触することになる第２の突起部と、を備えるものである。
【００１２】
また、この考案に係る水難救助用フィンにおいては、第２の突起部が、鋸歯状の接地面を有するものである。
【００１３】
また、この考案に係る水難救助用フィンにおいては、フットポケットを構成する内側面が、本体部の材料と比較して剛性の高い材料から形成されるものである。
【００１４】
さらに、この考案に係る水難救助用フィンにおいては、本体部が、両側面に凹部を備え、フィンベルトが、本体部の凹部に係合される凸部を両端の内側面に備えるものである。
【００１５】
また、この考案に係る水難救助用フィンにおいては、フィンベルトの凸部が、フィンベルトの内側面に立設される軸部と、当該軸部の先端に配設され、軸部の平面形状より幅広い係止部と、を備え、本体部の凹部が、フィンベルトの係止部の平面形状より大きい孔形状の挿入孔と、当該挿入孔に連通され、フィンベルトの係止部の平面形状より小さく軸部の平面形状より大きい孔形状の係止孔と、挿入孔及び係止孔の下層に当該挿入孔及び係止孔に連通され、フィンベルトの係止部の平面形状より大きい穴形状の連結穴と、を備えるものである。
【考案の効果】
【００１６】
この考案に係る水難救助用フィンにおいては、本体部の底面に配設される弾性部材からなる第１の突起部と、第１の突起部に隣接して配設される剛性部材からなり、第１の突起部と比較して突起の高さが低く、第１の突起部の圧縮変形により、地面に接触することになる第２の突起部と、を備えることにより、着地時に、第１の突起部が第２の突起部より先に地面に接触し、第１の突起部の弾性力により着地時の足裏への衝撃を吸収して地面との高さ調整を行ないつつ、第２の突起部が地面の凹凸に強固に係合し、歩行時の滑りを抑制することができる。
【００１７】
また、この考案に係る水難救助用フィンにおいては、第２の突起部が、鋸歯状の接地面を有することにより、第２の突起部の接地面の摩擦係数を増加し、第２の突起部の接地面及び地面間に生じる摩擦力を高めて、第２の突起部の接地面の滑りを抑制し、地面を確実に捉えることができる。
【００１８】
また、この考案に係る水難救助用フィンにおいては、フットポケットを構成する内側面が、本体部の材料と比較して剛性の高い材料から形成されることにより、鋭利な危険物が本体部の内側面（底面、側面、上面）を突き破ることを防止し、着用者の足の負傷を防止することができる。
【００１９】
さらに、この考案に係る水難救助用フィンにおいては、本体部が、両側面に凹部を備え、フィンベルトが、本体部の凹部に係合される凸部を両端の内側面に備えることにより、本体部にフィンベルトを取り付ける部材が外側に突出しておらず、障害物による着用者の拘束を回避することができる。
【００２０】
また、この考案に係る水難救助用フィンにおいては、フィンベルトの凸部が、フィンベルトの内側面に立設される軸部と、当該軸部の先端に配設され、軸部の平面形状より幅広い係止部と、を備え、本体部の凹部が、フィンベルトの係止部の平面形状より大きい孔形状の挿入孔と、当該挿入孔に連通され、フィンベルトの係止部の平面形状より小さく軸部の平面形状より大きい孔形状の係止孔と、挿入孔及び係止孔の下層に当該挿入孔及び係止孔に連通され、フィンベルトの係止部の平面形状より大きい穴形状の連結穴と、を備えることにより、本体部からフィンベルトの着脱を容易に行なうことができる。
【図面の簡単な説明】
【００２１】
【図１】（ａ）は第１の実施形態に係る水難救助用フィンの概略構成を示す平面図であり、（ｂ）は図１（ａ）に示す水難救助用フィンの背面図である。
【図２】（ａ）は図１（ａ）に示すフィンベルトの平面図であり、（ｂ）は図１（ａ）に示す留具の斜視図であり、（ｃ）は図２（ｂ）に示す留具に凸部（フィンベルト不図示）を係合させた状態を説明するための要部拡大図であり、（ｄ）は図２（ｃ）に示す留具及び凸部（フィンベルトを含む）の矢視Ａ−Ａ’線の断面図である。
【図３】図１（ａ）に示す水難救助用フィンの寸法の一例を示す平面図である。
【図４】（ａ）は図１（ｂ）に示す第１の突起部の正面図、背面図、左側面図及び右側面図であり、（ｂ）は図１（ｂ）に示す第２の突起部の埋設前の平面図であり、（ｃ）は図４（ｂ）に示す第２の突起部の矢視Ｂ−Ｂ’線の断面図であり、（ｄ）は第１の突起部及び第２の突起部の他の配置関係を説明するための平面図であり、（ｅ）は第１の実施形態に係る水難救助用フィンの他の概略構成を示す背面図である。
【図５】（ａ）は第１の突起部の接地状態を説明するための説明図であり、（ｂ）は第１の突起部及び第２の突起部の接地状態を説明するための説明図であり、（ｃ）は図１（ａ）に示すリング部にカラビナを取り付けた状態を示す平面図である。
【考案を実施するための形態】
【００２２】
（本考案の第１の実施形態）
水難救助用フィン１００は、図１（ａ）に示すように、足を挿入するフットポケット１０ａを有する本体部１０と、当該本体部１０の爪先側に配設され、水をかくブレード２０と、本体部１０の踵側に配設され、フットポケット１０ａからの足の抜けを防止するフィンベルト３０と、を備える。
また、本体部１０は、両側面に凹部１を備え、フィンベルト３０は、本体部１０の凹部１に係合される凸部３１を両端の内側面に備える。
【００２３】
なお、本実施形態に係るフィンベルト３０の凸部３１は、図１（ａ）及び図２（ａ）に示すように、フィンベルト３０の内側面に立設される軸部３１ａと、当該軸部３１ａの先端に配設され、軸部３１ａの平面形状より幅広い係止部３１ｂと、を備える。
【００２４】
特に、軸部３１ａは、直径１０ｍｍで高さ５ｍｍの略円柱状であり、係止部３１ｂは、直径２０ｍｍで厚み２ｍｍの略円盤状であり、軸部３１ａ及び係止部３１ｂの中心軸を一致させているが、この形状及び寸法に限られるものではない。
【００２５】
また、本実施形態に係る本体部１０の凹部１は、図２（ｂ）、図２（ｃ）及び図２（ｄ）に示すように、本体部１０に埋め込んで接着される留具１１に穿設され、フィンベルト３０の係止部３１ｂの平面形状より大きい孔形状の挿入孔１ａと、挿入孔１ａに連通され、フィンベルト３０の係止部３１ｂの平面形状より小さく軸部３１ａの平面形状より大きい孔形状の係止孔１ｂと、挿入孔１ａ及び係止孔１ｂの下層に当該挿入孔１ａ及び係止孔１ｂに連通され、フィンベルト３０の係止部３１ｂの平面形状より大きい穴形状の連結穴１ｃと、を備える。
【００２６】
特に、本実施形態に係る留具１１は、長さ１１０ｍｍ、幅３０ｍｍ及び厚み８ｍｍの板状体であり、凹部１（挿入孔１ａ、係止孔１ｂ、連結穴１ｃ）が穿設させているが、この形状及び寸法に限られるものではない。
また、挿入孔１ａの直径は２０ｍｍであり、係止孔１ｂの直径は１５ｍｍであり、挿入孔１ａ及び係止孔１ｂの深さは一致しており、軸部３１ａの長さより浅い貫通孔であるが、この形状及び寸法に限られるものではない。
また、連結穴１ｃは、幅が係止部３１ｂの直径より広く、深さが係止部３１ｂの厚みより深い穴である。
【００２７】
これらの構成により、本実施形態に係る水難救助用フィン１００は、図２（ｃ）及び図２（ｄ）に示すように、フィンベルト３０の凸部３１の係止部３１ｂを本体部１０の凹部１の挿入孔１ａから挿入することができ、そして、凹部１の挿入孔１ａから係止孔１ｂに凸部３１をスライドさせることができ、さらに、凸部３１の係止部３１ｂを係止孔１ｂで係止させ、凹部１からの凸部３１の脱落を防止することができる。
【００２８】
特に、本実施形態に係る水難救助用フィン１００は、本体部１０にフィンベルト３０を取り付ける部品（本体部１０の凹部１、フィンベルト３０の凸部３１）が外側に突出しておらず、漁綱や釣り糸又は瓦礫等の障害物に引っ掛かることなく、着用者（救助者）の水中での拘束から守ることができ、着用者（救助者）が安全に救助作業を行なうことができる。
また、水難救助用フィン１００は、仮に、フィンベルト３０の凸部３１に障害物が引っ掛かったとしても、フィンベルト３０の凸部３１の挿入及びスライドの簡易な連結構造であるため、本体部１０の凹部１から凸部３１を素早く脱着することができる。
【００２９】
なお、水難救助用フィン１００を着用して着用者（救助者）の踵にフィンベルト３０を掛けた状態では、伸縮性を有するフィンベルト３０の張力がフィンベルト３０の両端間に生じる。このため、本体部１０の凹部１は、水難救助用フィン１００の爪先側に挿入孔１ａを配置し、踵側に係止孔１ｂを配置して、挿入孔１ａ及び係止孔１ｂが連通されていることにより、フィンベルト３０の凸部３１（係止部３１ｂ）が踵側に引っ張られ、本体部１０の係止孔１ｂに係合することになり、挿入孔１ａからの凸部３１の脱落を防止することができる。
【００３０】
また、水難救助用フィン１００は、図５（ｃ）に示すように、本体部１０の踵側に配設され、カラビナ４１等を取付可能にするリング部４０を、必要に応じて備えてもよい。このリング部４０は、水難救助用フィン１００の非着用時に、着用者（救助者）の腰（ウエイトベルト）にカラビナ４１を係止させ、水難救助用フィン１００を釣支して持ち運ぶために有用である。なお、水難救助用フィン１００は、ブレード２０が短く軽量であるため、着用者（救助者）のウエイトベルトにカラビナ４１を引っ掛けても、邪魔にならず、何処にでも持ち運びが可能である。
【００３１】
また、本体部１０、ブレード２０、フィンベルト３０及びリング部４０は、ゴム製であり、本体部１０、ブレード２０及びリング部４０は、一体成型される。
また、フットポケット１０ａを構成する内側面は、着用者（救助者）の足に接する面（底面、側面、上面）となり、本体部１０の材料と比較して剛性の高い材料から形成される。
【００３２】
なお、本実施形態に係るフットポケット１０ａを構成する内側面は、アラミド繊維（例えば、ケブラー（登録商標））を含む強化材料から形成されている。このため、水難救助用フィン１００は、瓦礫等の危険物や障害物が多い所等の危険な場所での救助作業時に、鋭利な危険物が本体部１０の内側面（底面、側面、上面）で遮断され、鋭利な危険物のフットポケット１０ａ内への侵入を防止し、本体部１０を貫通して着用者（救助者）の足を負傷させる等の危険から着用者（救助者）の身を守ることができるという作用効果を奏する。
特に、フットポケット１０ａを構成する底面は、微細な凹凸が生じるアラミド繊維を使用することにより、摩擦係数が増加され、着用者（救助者）の足裏及び底面間に生じる摩擦力を高めて、滑り止めの作用効果を奏する。
【００３３】
なお、本実施形態に係るフットポケット１０ａを構成する内側面は、ゴム製の本体部１０と別部材とし、剛性の高い材料（アラミド繊維等を含む強化材料）を本体部１０に接合して形成されてもよいし、本体部１０と一体として、本体部１０全体を剛性の高い材料（アラミド繊維等を含む強化材料）で形成されてもよい。
【００３４】
ここで、本実施形態に係る水難救助用フィン１００の具体的な寸法について図３を用いて説明するが、水難救助用フィン１００は以下の寸法に限られるものではない。
本実施形態に係るリング部４０は、図３に示すように、断面形状が直径５ｍｍの真円であり、本体部１０との取付幅を５０ｍｍとし、本体部１０からの突出量を３０ｍｍとして配設されている。
【００３５】
また、本実施形態に係る水難救助用フィン１００は、図３に示すように、長さ方向において、リング部４０を含む全長が３８０ｍｍ〜４１０ｍｍであり、リング部４０を除く全長が３５０ｍｍ〜３８０ｍｍであり、本体部１０の全長が２５０ｍｍ〜２９０ｍｍであり、フットポケット１０ａの挿入口の寸法が３０ｍｍであり、フットポケット１０ａの挿入口及びリング部４０間の寸法が７０ｍｍであり、ブレード２０の先端及び本体部１０の先端間（ブレード２０の長さ）の寸法が６０ｍｍ〜１００ｍｍであり、本体部１０の爪先部分の寸法が４０ｍｍである。
【００３６】
また、本実施形態に係る水難救助用フィン１００は、図３に示すように、幅方向において、ブレード２０の幅が１８０ｍｍ〜２００ｍｍであり、フットポケット１０ａの挿入口の幅が１００ｍｍ〜１２０ｍｍであり、本体部１０におけるリング部４０の取付部分の幅が８０ｍｍである。
【００３７】
なお、水中における瓦礫やテトラポッド（登録商標）等の狭い場所への侵入は、ブレードの長い既存の足ひれ（フィン）では、着用者（救助者）が体を反転させるなどの動作において、着用者（救助者）が拘束状態に陥る場合がある。このため、本実施形態に係る水難救助用フィン１００は、ブレード２０の長さを短くすることにより、着用者（救助者）が拘束状態に陥ることを防止し（ショートフィンの効果）、水中の狭隘空間での要救助者の確保と引き出しとを容易に行なうことができ、スクーバ潜水時に有効に活用することができる。
【００３８】
水難救助用フィン１００は、図１（ｂ）及び図４に示すように、本体部１０の底面に配設される弾性部材（例えば、ゴム材）からなる第１の突起部２と、第１の突起部２に隣接して配設される剛性部材（例えば、ステンレス材）からなり、第１の突起部２と比較して突起の高さが低く、第１の突起部２の圧縮変形により、地面に接触することになる第２の突起部３と、を備える。
【００３９】
このように、水難救助用フィン１００は、第１の突起部２及び第２の突起部３を備えることにより、図５（ａ）に示すように、着地時に、第１の突起部２が第２の突起部３より先に地面に接触し、図５（ｂ）に示すように、第１の突起部２の弾性力により着地時の足裏への衝撃を吸収してクッションの役割を果しつつ、第２の突起部３が地面の凹凸に強固に係合し、歩行時の滑りを抑制することができるという作用効果を奏する。
また、水難救助用フィン１００は、着地時における第１の突起部２の圧縮変形により、第１の突起部２及び地面間の接触面積を増加させ、第１の突起部２及び地面間に生じる摩擦力により、滑り止め効果を発揮することができる。
【００４０】
なお、本実施形態に係る第１の突起部２は、図１（ｂ）及び図４（ａ）に示すように、直径５ｍｍで高さ７ｍｍの略半回転楕円体であるが、この寸法及び形状に限られるものではなく、例えば、略円錐又は略角錐等の略錐状や略円柱又は略角柱等の略柱状の形状であってもよい。
【００４１】
また、本実施形態に係る第２の突起部３は、図１（ｂ）に示すように、平面視で略Ｖ字状（略逆Ｖ字状）の形状であるが、この形状に限られるものではなく、例えば、平面視において、略直線状、略ハの字状又は略Ｕ字状等の形状であってもよい。
【００４２】
特に、本実施形態に係る第２の突起部３は、鋭部の先端（先細り部分）におけるなす角が約６０度であり、鋭部の先端の方向が水難救助用フィン１００の爪先側に向いている略逆Ｖ字状突起と、鋭部の先端の方向が水難救助用フィン１００の踵側に向いている略Ｖ字状突起と、が混在していることにより、水難救助用フィン１００の前方及び後方への滑りを抑制し、地面に対する水難救助用フィン１００の把持力を高めることができるという作用効果を奏する。
【００４３】
また、本実施形態に係る第２の突起部３は、図４（ｂ）及び図４（ｃ）に示すように、鋸歯状の接地面を有することにより、歩行時に地面を確実に捉えることができ、水難救助用フィン１００の前後左右への滑りを抑制することができるという作用効果を奏する。
【００４４】
なお、本実施形態に係る第２の突起部３は、図４（ｂ）及び図４（ｃ）に示すように、本体部１０の底面に表れる鋸歯部分３ａと本体部１０に埋設される羽部分３ｂとから構成され、例えば、鋸歯部分３ａは、高さが５ｍｍであり、長さが１５ｍｍである。
このように、第１の突起部２は、第２の突起部３よりも２ｍｍほど高く、着地時の第１の突起部２の圧縮変形により、第１の突起部２及び第２の突起部３による滑り止め効果を向上することができる。
【００４５】
なお、本実施形態に係る第１の突起部２及び第２の突起部３は、図１（ｂ）に示すように、隣り合う突起間を約５ｍｍ間隔で本体部１０の底面に配設しているが、この配置に限られるものではなく、例えば、図４（ｄ）及び図４（ｅ）に示すように、平面視において、第２の突起部３の略Ｖ字部分の内側に第１の突起部２を配置してもよい。
【００４６】
以上のように、本実施形態に係る水難救助用フィン１００は、本体部１０の爪先側に配設されるブレード２０を備えることにより、着用者（救助者）の泳ぎの補助として、素足の推力で要救助者（溺者）に接近するよりも早く要救助者に接近することができ（フィン効果）、着用者（救助者）が要救助者を確保した後の水面キャリング（運搬）を行なうにあたり、素足で泳ぐよりも大きな推力を得ることができる。
【００４７】
また、本実施形態に係る水難救助用フィン１００は、本体部１０の底面に配設される第１の突起部２及び第２の突起部３を備えることにより、着用者（救助者）の足の保護として、滑り易い岩場やスロープでの滑りを抑制し、着用者（救助者）の転倒を防止することができる。
【００４８】
また、本実施形態に係る水難救助用フィン１００は、フットポケット１０ａを構成する内側面がアラミド繊維等を含む強化材料から形成されていることにより、突起物から着用者（救助者）の足を保護することができる。
【００４９】
このため、本実施形態に係る水難救助用フィン１００は、歩行時にも滑らず、危険物を踏んでも負傷する虞がないので、水際や危険な場所（滑り易い岩場、苔の生えたスロープ、河原や海岸沿いの浅瀬、瓦礫がある場所等）での作業を伴う水難救助に適するものである。
【００５０】
すなわち、救助者は、水難救助用フィン１００を脱着することなく（水面や陸上でも水難救助用フィン１００を脱いだり安全な靴に履き替えたりする必要がなく）、水中歩行が可能であり、水中、水面及び陸上での移行が円滑である。
【００５１】
また、救助者は、陸上捜索において、水難救助用フィン１００を履いたまま行動することができ、要救助者（溺者）の発見時に、水難救助用フィン１００の着用動作がなく、要救助者に瞬時に接近し、要救助者の水面確保に移行することができる。
【００５２】
また、救助者は、要救助者を水中で確保して陸上まで搬送した場合に、水難救助用フィン１００の脱着の動作がなくなることにより、陸上での要救助者の蘇生確立や緊急隊員への要救助者の引渡しを素早く行なうことができる。
【符号の説明】
【００５３】
１      凹部
１ａ    挿入孔
１ｂ    係止孔
１ｃ    連結穴
２      第１の突起部
３      第２の突起部
３ａ    鋸歯部分
３ｂ    羽部分
１０    本体部
１０ａ  フットポケット
１１    留具
２０    ブレード
３０    フィンベルト
３１    凸部
３１ａ  軸部
３１ｂ  係止部
４０    リング部
１００  水難救助用フィン
【図１】
0003186874.tif 000003
【図２】
0003186874.tif 000004
【図３】
0003186874.tif 000005
【図４】
0003186874.tif 000006
【図５】
0003186874.tif 000007